(57)【要約】  【課題】パーソナルコンピューターの構造を変更せず、光ディスクドライブの熱による劣化を抑える。  【解決手段】液晶パネル４と、液晶パネル４の端部にバックライト５を備え、液晶パネル４に平行に配設されたユニットとして組み込む光ディスクドライブドライブ１を備え、光ディスクドライブ１を入れるユニットスペース６とからなり、光ディスクドライブ１のユニットスペース６内に高温から保護するための真空断熱材７を取り付けることにより、ユニットスペース６に僅かなスペースしかなくとも高い断熱性能が得られ、光ディスクドライブ１が高温にさらされるのを軽減でき、ピックアップ９の耐久性に対する信頼性が向上できる。また、光ディスクドライブ１のユニットスペース６で断熱できるのでパーソナルコンピューターの設計を変えることなく適用できる。【選択図】図１
2006127702.tif 000002
【特許請求の範囲】
【請求項１】
液晶パネルと、少なくとも前記液晶パネルの端部にバックライトを有し、前記液晶パネルに平行に配設されたユニットとして組み込む光ディスクドライブドライブとからなり、前記光ディスクドライブのユニットスペーズに収まるよう前記光ディスクドライブの筐体に沿うように前記筐体の表面または内部に真空断熱材を取り付けたパーソナルコンピューター。
【請求項２】
光ディスクドライブのユニットに放熱機構をもたせた請求項１に記載のパーソナルコンピューター。
【請求項３】
光ディスクドライブのユニットスペースに収まるように液晶パネルと向かい合う面の全面に熱から保護するための真空断熱材を取り付けた請求項１または請求項２に記載のパーソナルコンピューター。
【請求項４】
光ディスクドライブのユニットスペースに収まり周囲から光ディスクドライブを遮断するように真空断熱材を取り付けた請求項１に記載のパーソナルコンピューター。
【請求項５】
光ディスクドライブのユニットスペース内にピックアップの可動域とバックライトとの間にのみ真空断熱材を取り付けた請求項１または請求項２に記載のパーソナルコンピューター。
【請求項６】
光ディスクドライブのユニットスペースに収まり、熱源とピックアップとの間の空間を遮断するように真空断熱材を取り付けた請求項１から請求項５のいずれか一項に記載のパーソナルコンピューター。
【請求項７】
放熱機構が放熱促進部材を光ディスクドライブに取り付けたことである請求項１から請求項６のいずれか一項に記載のパーソナルコンピューター。
【請求項８】
真空断熱材の芯材が少なくともシリカを主成分とする請求項１から請求項７のいずれか一項に記載のパーソナルコンピューター。
【請求項９】
真空断熱材の外被材が熱融着層とガスバリア層と保護層とを有するラミネート構造であり、最外層が電気絶縁仕様である請求項１から請求項８のいずれか一項に記載のパーソナルコンピューター。
【請求項１０】
真空断熱材が光ディスクドライブの略投影面形状である請求項１から請求項９のいずれか一項に記載のパーソナルコンピューター。
【発明の詳細な説明】
【技術分野】
【０００１】
本発明は、パーソナルコンピューターに関するものである。
【背景技術】
【０００２】
従来は、パーソナルコンピューターの光ディスクドライブの耐熱対策として、パーソナルコンピューターの内部より外よりのほうが温度は低いので、弱耐熱部分をパーソナルコンピューターの外よりに配置することにより熱を軽減している（例えぱ、特許文献１参照）。
【０００３】
図６は、特許文献１に記載された従来の光ディスクドライブを示すものである。図５に示すように、光ディスクドライブ１は、弱耐熱部分２と、電気的な接続を行うインタフェース部３から構成されている。
【特許文献１】特開平９−２５１７６４号公報
【発明の開示】
【発明が解決しようとする課題】
【０００４】
しかしながら、上記従来の構成では、光ディスクドライブ１の構造から弱耐熱部分２を外よりに配置できない場合があり、また、構造を変更しなければならない問題がある。また、熱源の温度が上がった場合対応できない。
【０００５】
本発明は、上記従来の課題を解決するもので、熱源と光ディスクドライブの間にスペースがない場合でも、パーソナルコンピューターの設計を変更することなく熱による部品の耐久性に対する信頼性の低下を抑えたパーソナルコンピューターを提供するものである。
【課題を解決するための手段】
【０００６】
上記目的を達成するために、本発明のパーソナルコンピューターは、液晶パネルの背面にユニットとして組み込む光ディスクドラィブに、高温から保護するための真空断熱材を取り付けたものである。
【０００７】
これによって、光ディスクドライブのユニットスペース内で断熱することができ、光ディスクドライブが高温にさらされるのを軽減することができる。
【発明の効果】
【０００８】
本発明のパーソナルコンピューターは、光ディスクドライブが高温にさらされるのを軽減でき、ピックアップの耐久性に対する信頼性が向上できる。また、パーソナルコンピューターの設計変更なく適用できる。
【発明を実施するための最良の形態】
【０００９】
請求項１に記載の発明は、液晶パネルと、少なくとも前記液晶パネルの端部にバックライトを有し、前記液晶パネルに平行に配設されたユニットとして組み込む光ディスクドライブドライブとからなり、前記光ディスクドライブのユニットスペースに収まるよう前記光ディスクドライブの筐体に沿うように筐体の表面または内部に真空断熱材を取り付けることにより、ユニットスペースに僅かなスペースしかなくとも適用でき、高い断熱性能が得られ、光ディスクドライブが高温にさらされるのを軽減でき、ピックアップの耐久性に対する信頼性が向上できる。
【００１０】
また、光ディスクドライブの表面形状に合わせて凹凸をつけることができ、光ディスクドライブのユニットスペースで断熱できるのでパーソナルコンピューターの設計を変えることなく適用できる。
【００１１】
また、芯材を覆うラミネートフィルムのガスバリア層に金属箔または金属蒸着層を用いた真空断熱材は、シールド効果があり、電磁波が光ディスクドライブからパーソナルコンピューター外部に放出されるのを低減することができ、周囲の機器や人体への悪影響を低減することができる。
【００１２】
請求項２に記載の発明は、請求項１に記載の発明における光ディスクドライブのユニットに放熱機構をもたせることにより、光ディスクドライブに熱がこもらず放熱することができ、光ディスクドライブが高温にさらされるのを軽減でき、ピックアップの耐久性に対する信頼性が向上できる。
【００１３】
請求項３に記載の発明は、請求項１または請求項２に記載の発明における光ディスクドライブをユニットスペースに収まるよう真空断熱材を液晶パネルと向かい合う面の全面に取り付けることにより、光ディスクドライブの背後への熱を低減できるので、背後に弱耐熱部品を設置することができ、背後の部品等の耐久性に対する信頼性が向上できる。
【００１４】
請求項４に記載の発明は、請求項１または請求項２に記載の発明における光ディスクドライブのユニットスペースに収まり真空断熱材を周囲から光ディスクドライブを遮断するように取り付けることにより、芯材を覆うラミネートフィルムのガスバリア層に金属箔または金属蒸着層を用いた真空断熱材はシールド効果があるので、電磁波が光ディスクドライブに与える悪影響を低減でき、データを保護することができる。
【００１５】
請求項５に記載の発明は、請求項１または請求項２に記載の発明における光ディスクドライブのユニットに収まるようにピックアップの可動域とバックライトとの間にのみ真空断熱材を取り付けることにより、光ディスクドライブのユニットスペースにピックアップを保護するスペースしかない場合でも高い断熱性能が得られ、ピックアップが高温にさらされるのを軽減でき、ピックアップの耐久性に対する信頼性が向上できる。
【００１６】
請求項６に記載の発明は、請求項１から請求項５のいずれか一項に記載の発明における光ディスクドライブのユニットスペースに収まり、熱源とピックアップとの間の空間を遮断するように真空断熱材を取り付けることにより、熱源からの対流による熱を防ぐことができ、ピックアップが高温にさらされるのを軽減でき、耐久性に対する信頼性が向上できる。
【００１７】
請求項７に記載の発明は、請求項２から請求項６のいずれか一項に記載の発明における放熱機構が放熱促進部材を光ディスクドライブに取り付けたことにより、光ディスクドライブ内部に熱をこもらせずに排出することができるので、ピックアップが高温にさらされるのを軽減でき、ピックアップの耐久性に対する信頼性が向上できる。
【００１８】
請求項８に記載の発明は、請求項１から請求項７のいずれか一項に記載の発明における真空断熱材の芯材が少なくともシリカを主成分とすることにより、特に高温使用時に優れた断熱性能と長期の断熱性能に対する信頼性を有する高性能な真空断熱材を提供できる。
【００１９】
請求項９に記載の発明は、請求項１から請求項８のいずれか一項に記載の発明における真空断熱材の外被材が熱融着層とガスバリア層と保護層とを有するラミネート構造であり、最外層が電気絶縁仕様であるので、電気絶縁しなくてはいけない個所にも適用することができ、適用範囲が広げることができる。
【００２０】
請求項１０に記載の発明は、請求項１から請求項９のいずれか一項に記載の発明における真空断熱材が光ディスクドライブの略投影面形状であるので、スペースを有効に活用でき、高い断熱性能が得られ、ピックァップが高温にさらされるのを軽減でき、耐久性に対する信頼性が向上する。
【００２１】
以下、本発明の実施の形態について、図面を参照しながら説明する。
【００２２】
（実施の形態１）
図１は、本発明の実施の形態１におけるパーソナルコンピューターの光ディスクドライブの斜視図を示すものである。図２は、本発明の実施の形態１における真空断熱材の断面図である。
【００２３】
図１、図２において、パーソナルコンピューター（パソコン）８は、液晶パネル４を備え、液晶パネル４の端部にバックライト５を備え、液晶パネル４に平行に配設されたユニットとして組み込む光ディスクドライブドライブ１を備え、光ディスクドライブ１を入れるユニットスペース６とからなる。
【００２４】
光ディスクドライブ１は、弱耐熱であるピックアップ９からなり、光ディスクドライブ１のユニットスペース６に収まるよう光ディスクドライブ１の筐体に沿うように筐体の表面またば内部に真空断熱材７を取り付けている。もしくは、真空断熱材７が光ディスクドライブ１の略投影面形状である。
【００２５】
真空断熱材７は、多孔質体である芯材１０をラミネートフィルムからなる外包材１１で覆い、内部を真空引きして封止したものであり、好ましくは、芯材９がシリカを主成分とする、もしくは少なくともシリカとグラスウールからなる、もしくは少なくともシリカとカーボンブラックからなる、もしくは少なくともシリカとグラスウールとカーボンブラックからなる。また、芯材９にバインダー成分を含ませてもよい。また、好ましくは外包材１１の最外側である外被材１２が電気絶縁仕様である。
【００２６】
以上のように構成されたパーソナルコンピューターについて、以下その作用を説明する。
【００２７】
光ディスクドライブ１に、ユニットスペース６に収まるように、光ディスクドライブ１の略投影面形状である真空断熱材７を取り付けることにより、液晶パネル４から発生する熱を遮断し、光ディスクドライブ１、ピックアップ９への熱を軽減することができる。
【００２８】
以上のように、本実施の形態においては、僅かなスペースしかなくとも高い断熱性能が得られる真空断熱材７を光ディスクドライブ１の略投影面形状に作製して取り付けることにより、液晶パネル４から発生する熱を遮断し、光ディスクドライブ１、ピックアップ９への熱を軽減することができ高温にさらされるのを軽減できるので、ピックアップ９の耐久性に対する信頼性が向上できる。
【００２９】
また、光ディスクドライブ１のユニットスペース内で断熱できるのでパーソナルコンピューターの設計を変えることなく適用できる。また、光ディスクドライブ１の表面形状に合わせて凹凸をつけることができ、スペースを有効に使い断熱することができる。
【００３０】
芯材１０を覆う外包材１１のラミネートフィルムのガスバリア層に金属箔または金属蒸着層を用いた真空断熱材７はシールド効果があり、電磁波が光ディスクドライブ１からパソコン外部に放出されるのを低減することができ、周囲の機器や人体への悪影響を低減することができる。
【００３１】
同時に、光ディスクドライブ１に進入してくる電磁波を防ぐことができるので、データが破壊されるのを防ぐことができる。また、光ディスクドライブ１の背後への熱を低減できるので、背後に弱耐熱部品を設置することができる。また、背後の部品等の耐久性に対する信頼性が向上できる。
【００３２】
また、真空断熱材７の芯材９としてシリカを主成分とすることにより、特に８００℃付近の高温での優れた断熱性能と長期の断熱性能に対する信頼性を有する高性能な真空断熱材を提供できる。また、芯材９としてシリカとグラスウールからなることにより、特に高温使用時に断熱性能が優れ、取り扱い性、粉立ちを改善でき、長期の断熱性能に対する信頼性を有する高性能な真空断熱材を提供できる。
【００３３】
また、芯材９として少なくともシリカとカーボンブラックからなることにより、特に高温での断熱性能が一段と優れる真空断熱材を提供できる。また、芯材９として少なくともシリカとグラスウールとカーボンブラックからなることにより、特に高温使用時に断熱性能が優れ、取り扱い性、粉立ちを改善でき、長期の断熱性能に対する信頼性を有する高性能な真空断熱材を提供できる。
【００３４】
また、芯材９の表面にバインダー成分を含むことにより、真空断熱材の折れ、曲がり、粉立ちを抑制・防止でき、取り扱い性が向上する。また、外被材１２が電気絶縁仕様であることより、電気絶縁しなくてはいけない個所にも適用することができ、適用範囲を広げることができる。なお、本実施の形態では真空断熱材７の形状が円になっているが、この形状に限るものではない。
【００３５】
（実施の形態２）
図３、図４は、本発明の実施の形態２におけるパーソナルコンピューターの光ディスクドライブの斜視図を示すものである。
【００３６】
図３、図４において、光ディスクドライブ１は、弱耐熱であるピックアップ９からなり、ピックアップ９のみ、好ましくはピックアップ９の可動域に熱源との空間を遮断するように真空断熱材７が取り付けられている。
【００３７】
また、光ディスクドライブ１の背面に放熱促進部材１３を取り付けてあり、放熱促進部材１３は熱伝導率の高いものであり、炭素、アルミや銅等の金属や、それらを含む材料よりなるものである。
【００３８】
以上のように構成されたパーソナルコンピューターについて、以下その作用を説明する。
【００３９】
ピックアップ９のみに熱源との空間を遮断するように、僅かなスペースしかなくとも高い断熱性能が得られる真空断熱材７を取り付けることにより、熱源である液晶パネル４から発生する熱を遮断し、ピックアップ９への熱を軽減することができる。また、光ディスクドライブ１の背面に放熱促進部材１３を取り付けることにより、光ディスクドライブ１内にこもる熱を放熱することができる。
【００４０】
以上のように、本実施の形態においては、真空断熱材７をピックアップ９のみに取り付けることにより、光ディスクドライブ１のユニット内にピックアップ９を保護するスペースしかない場合でも高い断熱性能が得られ、ピックアップ９が高温にさらされるのを軽減でき、ピックアップ９の耐久性に対する信頼性が向上できる。
【００４１】
また、真空断熱材７を熱源とピックアップ９との間の空間を遮断するように取り付けることにより、熱源からの対流による熱を防ぐことができ、ピックアップ９が高温にさらされるのを軽減でき、耐久性に対する信頼性が向上できる。また、光ディスクドライブ１の背面に放熱促進部材１３を取り付けることにより、光ディスクドライブ１内にこもる熱を放熱することができ、ピックアップ９が高温にさらされるのを軽減できるので、ピックアップ９の耐久性に対する信頼性が向上できる。
【００４２】
（実施の形態３）
図５は、本発明の実施の形態３におけるパーソナルコンピューターの光ディスクドライブの斜視図を示すものである。
【００４３】
図５において、光ディスクドライブ１は、弱耐熱であるピックアップ９からなり、光ディスクドライブ１を周囲から遮断するように真空断熱材７が取り付けられている。
【００４４】
以上のように構成されたパーソナルコンピューターについで、以下その作用を説明する。
【００４５】
光ディスクドライブ１を周囲から遮断するように真空断熱材７を取り付けることにより、対流による熱が光ディスクドライブ内に進入するのを防ぐことができる。
【００４６】
以上のように、本実施の形態においては、光ディスクドライブ１を周囲から遮断するように真空断熱材７を取り付けることにより、対流による熱が光ディスクドライブ内に進入するのを防ぐことができ、光ディスクドライブ１が高温にさらされるのを軽減でき、ピックアップ９の耐久性に対する信頼性が向上できる。
【産業上の利用可能性】
【００４７】
以上のように、本発明のパーソナルコンピューターは、パーソナルコンピューターの設計変更をせずに光ディスクドライブを熱から守ることができるので、パーソナルコンピューターだけでなく、他の情報機器、情報周辺機器、移動端末、携帯電話、サーバー、ネット家電等のデータ等を読み書きする電気製品にも適用できる。また、光ディスクドライブのユニットだけでなく、電源や、機能向上等の目的のためのユニットに組み込む場合にも適用できる。
【図面の簡単な説明】
【００４８】
【図１】本発明の実施の形態１におけるパーソナルコンピューターとそれに用いる光ディスクドライブを示す斜視図
【図２】本発明の実施の形態１における真空断熱材の断面図
【図３】本発明の実施の形態２における光ディスクドライブの斜視図
【図４】本発明の実施の形態２における光ディスクドライブの斜視図
【図５】本発明の実施の形態３における光ディスクドライブの斜視図
【図６】従来の光ディスクドライブの斜視図
【符号の説明】
【００４９】
１    光ディスクドライブ
４    液晶パネル
５    バックライト
６    ユニットスペース
７    真空断熱材
８    パーソナルコンピューター
９    ピックアップ
１０  芯材
１１  外包材
１２  外被材
１３  放熱促進部材
【図１】
2006127702.tif 000003
【図２】
2006127702.tif 000004
【図３】
2006127702.tif 000005
【図４】
2006127702.tif 000006
【図５】
2006127702.tif 000007
【図６】
2006127702.tif 000008